(57)【要約】【課題】回路基板上の絶縁ハウジングにより支持された複数のシグナル及びグラウンドコンタクトの夫々の接触端部が、回路基板面方向に配列配置されて第１及び第２の並行列を成すもとで、有効伝送周波数帯域の拡大を図れるコネクタ装置を提供する。【解決手段】絶縁ハウジング１４により、複数の第１のシグナルコンタクト及び複数の第１のグラウンドコンタクト２６が成す第１のコンタクト列と複数の第２のシグナルコンタクト及び複数の第２のグラウンドコンタクトが成す第２のコンタクト列が支持され、第１のグラウンドコンタクト２６の接触端部３２から接続端部３３までの長さが第２のグラウンドコンタクトの接触端部から接続端部までの長さよりその二倍を越えない範囲で大に選定されたもとで、第１のグラウンドコンタクト２６における接触端部３２と接続端部３３との間の中間部４１が絶縁ハウジング１４に装着された導電性シェル１７に接続される。【選択図】図１６
2019149238.tif 000002
【特許請求の範囲】
【請求項１】
回路基板の部品搭載面に配される絶縁ハウジングと、
各々が相手方コネクタ装置のシグナルコンタクトの端部に接触接続される接触端部及び上記回路基板の部品搭載面に設けられたシグナル端子部に接続される接続端部を有した複数の第１のシグナルコンタクトと各々が相手方コネクタ装置のグラウンドコンタクトの端部に接触接続される接触端部及び上記回路基板の部品搭載面に設けられたグラタウンド端子部に接続される接続端部を有した複数の第１のグラウンドコンタクトとが、上記回路基板の部品搭載面に沿うことになる方向に配列されて上記絶縁ハウジングにより支持されて成る第１のコンタクト列と、
各々が相手方コネクタ装置のシグナルコンタクトの端部に接触接続される接触端部及び上記回路基板の部品搭載面に設けられたシグナル端子部に接続される接続端部を有した複数の第２のシグナルコンタクトと各々が相手方コネクタ装置のグラウンドコンタクトの端部に接触接続される接触端部及び上記回路基板の部品搭載面に設けられたグラタウンド端子部に接続される接続端部を有した複数の第２のグラウンドコンタクトとが、上記回路基板の部品搭載面に沿うことになる方向に配列されて上記絶縁ハウジングにより支持されて成る第２のコンタクト列と、
上記絶縁ハウジングの外面部に装着されて接地電位が与えられる導電性シェルと、
を備えて構成され、
上記第１のコンタクト列に含まれる上記複数の第１のシグナルコンタクト及び上記複数の第１のグラウンドコンタクトの夫々の上記接触端部が成す第１の接触端部列と上記第２のコンタクト列に含まれる上記複数の第２のシグナルコンタクト及び上記複数の第２のグラウンドコンタクトの夫々の上記接触端部が成す第２の接触端部列とが、上記第２の接触端部列が上記回路基板の部品搭載面と上記第１の接触端部列との間に位置する並行列として配されて、上記第１のコンタクト列に含まれる上記複数の第１のグラウンドコンタクトの夫々における上記接触端部から上記接続端部までの長さが上記第２のコンタクト列に含まれる上記複数の第２のグラウンドコンタクトの夫々における上記接触端部から上記接続端部までの長さよりその二倍を越えない範囲で大に選定されたもとで、上記複数の第１のグラウンドコンタクトの夫々における上記接触端部と上記接続端部との間の中間部が上記導電性シェルに接続されたことを特徴とするコネクタ装置。
【請求項２】
上記第１のコンタクト列に含まれる上記複数の第１のグラウンドコンタクトの夫々における上記接触端部から上記接続端部までの長さが、上記第２のコンタクト列に含まれる上記複数の第２のグラウンドコンタクトの夫々における上記接触端部から上記接続端部までの長さよりその二倍を越えない範囲で大となるように選定されたもとで、上記複数の第１のグラウンドコンタクトの夫々における上記接触端部から上記中間部までの長さと上記中間部から上記接続端部までの長さのいずれもが、上記複数の第２のグラウンドコンタクトの夫々における上記接触端部から上記接続端部までの長さ以下とされることを特徴とする請求項１記載のコネクタ装置。
【請求項３】
上記複数の第１のグラウンドコンタクトの夫々が、該第１のグラウンドコンタクトにおける上記接触端部から上記中間部までの長さと上記中間部から上記接続端部までの長さとが実質的に等しいものとされることを特徴とする請求項２記載のコネクタ装置。
【請求項４】
上記第１のコンタクト列を成す上記複数の第１のシグナルコンタクト及び上記複数の第１のグラウンドコンタクトの夫々が、上記接触端部と上記接続端部との間の部分を部分的に上記絶縁ハウジングから該絶縁ハウジングの外部に露出させて成る露出部分を有するものとされ、該露出部分が上記導電性シェルにおける覆い部分によって覆われるものとされることを特徴とする請求項１記載のコネクタ装置。
【請求項５】
上記導電性シェルにおける覆い部分が、上記複数の第１のグラウンドコンタクトの夫々における上記中間部に当接する接点部が形成されたものとされることを特徴とする請求項４記載のコネクタ装置。
【請求項６】
上記第１のコンタクト列に含まれる上記複数の第１のシグナルコンタクト及び上記複数の第１のグラウンドコンタクトの夫々の上記露出部分を覆う絶縁カバー部材を備え、該絶縁カバー部材が、上記導電性シェルにおける覆い部分に形成された上記接点部を通す透孔が形成されたもとで、上記導電性シェルにおける覆い部分によって覆われるものとされることを特徴とする請求項５記載のコネクタ装置。
【請求項７】
上記導電性シェルが、上記絶縁ハウジングの外面部を覆う第１のシェル部材と該第１のシェル部材とは別体に形成されて上記第１のシェル部材との電気的接続がなされる第２のシェル部材とを含んで構成され、上記第２のシェル部材が、上記導電性シェルにおける覆い部分を成すことを特徴とする請求項４記載のコネクタ装置。
【請求項８】
上記絶縁ハウジングが、上記相手方コネクタ装置における上記シグナルコンタクト及び上記グラウンドコンタクトを支持した絶縁ハウジングが嵌合連結される嵌合口部を有するものとされることを特徴とする請求項１記載のコネクタ装置。
【発明の詳細な説明】
【技術分野】
【０００１】
本願の特許請求の範囲に記載された発明は、回路基板に取り付けられたもとで複数の同軸ケーブル等の信号伝送部材が接続された相手方コネクタ装置が嵌合連結されるものとされて、信号伝送部材の回路基板との電気的接続に用いられるコネクタ装置に関する。
【背景技術】
【０００２】
複数の比較的細い同軸ケーブル等の高周波信号伝送部材を、各種の電気部品が搭載される回路基板に電気的に接続するにあたっては、回路基板の部品搭載面に取り付けられて当該回路基板との電気的接続がなされる基板側コネクタ装置と、高周波信号伝送部材が接続されて基板側コネクタ装置との嵌合連結状態におかれる信号伝送部材側コネクタ装置と、が用いられることが多い。基板側コネクタ装置からみると、信号伝送部材側コネクタ装置は基板側コネクタ装置にとっての相手方コネクタ装置となる。
【０００３】
斯かる場合、基板側コネクタ装置は、例えば、相手方コネクタ装置の嵌合部が差し込まれる嵌合口部が設けられて回路基板の部品搭載面に配される絶縁ハウジングを備えており、その絶縁ハウジングに複数のシグナルコンタクト及び複数のグラウンドコンタクトが配列配置されて設けられている。そして、複数のシグナルコンタクトの夫々が、絶縁ハウジングの外部に突出して回路基板の部品搭載面に設けられたシグナル端子に、例えば、半田付けによって接続される接続端部と、嵌合口部に差し込まれた相手方コネクタ装置の嵌合部におけるシグナルコンタクトの端部に接触接続される接触端部とを有したものとされ、また、複数のグラウンドコンタクトの夫々が、絶縁ハウジングの外部に突出して回路基板の部品搭載面に設けられたグラウンド端子に、例えば、半田付けによって接続される接続端部と、嵌合口部に差し込まれた相手方コネクタ装置の嵌合部におけるグラウンドコンタクトの端部に接触接続される接触端部とを有したものとされる。さらに、基板側コネクタ装置は、外部への不要な電波放射及び外部からの不要な電波干渉を低減させるべく、例えば、金属板材製とされて絶縁ハウジングの外面部に装着されて、回路基板における接地電位部に接続される導電性シェルを備えたものとされる。
【０００４】
また、基板側コネクタ装置の絶縁ハウジングにおける嵌合口部に差し込まれる嵌合部に複数のシグナルコンタクトの端部及び複数のグラウンドコンタクトの端部が配されるものとされた相手方コネクタ装置も、例えば、高周波信号伝送部材として複数の同軸ケーブルが、それらの各々がシグナルコンタクト及びグラウンドコンタクトに接続される状態をもって装着されたもとで、外部への不要な電波放射及び外部からの不要な電波干渉を低減させるべく、金属板材製とされた導電性シェルを備えたものとされる。そして、基板側コネクタ装置の絶縁ハウジングにおける嵌合口部に相手方コネクタ装置の絶縁ハウジングにおける嵌合部が差し込まれたときには、相手方コネクタ装置の嵌合部に配された複数のシグナルコンタクトの端部及び複数のグラウンドコンタクトの端部が、基板側コネクタ装置の複数のシグナルコンタクトの接触端部及び複数のグラウンドコンタクトの接触端部に夫々接触接続されるものとされ、また、相手方コネクタ装置の導電性シェルと基板側コネクタ装置の導電性シェルとが相互接触接続状態におかれる。
【０００５】
上述のような基板側コネクタ装置においては、複数のシグナルコンタクト及び複数のグラウンドコンタクトが、絶縁ハウジングが回路基板の部品搭載面に配されたとき当該回路基板の部品搭載面に沿うことになる方向（以下、斯かる方向を回路基板面方向という。）に配列されて、絶縁ハウジングにより支持されたものされる。そして、複数のシグナルコンタクトが夫々有する複数の接触端部及び複数のグラウンドコンタクトが夫々有する複数の接触端部が、回路基板面方向に配列配置された状態におかれる。それに伴い、相手方コネクタ装置の絶縁ハウジングにおける嵌合部に配された複数のシグナルコンタクトの端部及び複数のグラウンドコンタクトの端部も、相手方コネクタ装置の嵌合部が基板側コネクタ装置の嵌合口部に差し込まれるとき回路基板面方向に配列配置されていることになるものとされる。
【０００６】
このようなもとで、基板側コネクタ装置にあっては、その絶縁ハウジングが配される回路基板の部品搭載面上の専有面積を低減すべく、複数のシグナルコンタクトが夫々有する複数の接触端部及び複数のグラウンドコンタクトが夫々有する複数の接触端部をできるだけ蜜に配置し、しかも、相互近接したシグナルコンタクトの接触端部間のクロストーク等を抑制して信号伝送特性を良好に維持するようになすことが望まれる。そのため、従来にあっては、回路基板の部品搭載面に配される絶縁ハウジングを備え、その絶縁ハウジングに複数のシグナルコンタクト及び複数のグラウンドコンタクトが配列配置されて設けられて成る基板側コネクタ装置であって、複数のシグナルコンタクトが夫々有する複数の接触端部及び複数のグラウンドコンタクトが夫々有する複数の接触端部の配置態様に工夫が施されたものが提案されている（例えば、特許文献１参照。）。
【０００７】
特許文献１に記載された従来提案されている基板側コネクタ装置（コネクタ(100))は、回路基板の部品搭載面に配される絶縁ハウジング（保持部材(150))と、その絶縁ハウジングによって保持された複数のシグナルコンタクト（信号コンタクト(110,120))及び複数のグラウンドコンタクト(130) と、絶縁ハウジングの大部分を覆う導電性シェル（シェル(160))とを備えている。複数のシグナルコンタクトの夫々は、絶縁ハウジングの外部に突出して回路基板の部品搭載面に設けられたシグナル端子に接続される接続端部（被固定部(114,124))と、相手方コネクタ装置（相手側コネクタ）におけるシグナルコンタクトの端部に接触接続される接触端部（接触部(112,122))とを有したものとされ、また、複数のグラウンドコンタクトの夫々は、絶縁ハウジングの外部に突出して回路基板の部品搭載面に設けられたグラウンド端子に接続される接続端部（被固定部(134))と、相手方コネクタ装置におけるグラウンドコンタクトの端部に接触接続される接触端部（接触部(132))とを有したものとされている。
【０００８】
斯かる従来提案されている基板側コネクタ装置（以下、文献記載のコネクタ装置という。）にあっては、複数のシグナルコンタクトの接触端部（接触部(112,122))及び複数のグラウンドコンタクトの接触端部（接触部(132))が、それらが回路基板面方向に等間隔（等ピッチ）をもって配列配置されて形成する並行列である第１の列（第１列(L1)（上側の列))と第２の列（第２列(L2)（下側の列))とを成すものとされており、絶縁ハウジングが回路基板の部品搭載面に配されたもとにあっては、第１の列及び第２の列の夫々が回路基板の部品搭載面に平行とされていて、第２の列が回路基板の部品搭載面と第１の列との間に位置するものとされている。そして、第１の列及び第２の列の夫々にあっては、隣り合う二つのシグナルコンタクトの接触端部が一対のグラウンドコンタクトの接触端部によって挟まれた配置が繰り返されており、第１の列と第２の列とは、隣り合う二つのシグナルコンタクトの接触端部が一対のグラウンドコンタクトの接触端部によって挟まれた配置がその配列 1/2ピッチ（半間隔）だけずれるように配されている。
【０００９】
このような文献記載のコネクタ装置が開示された特許文献１には、複数のシグナルコンタクトの接触端部（接触部(112,122))と複数のグラウンドコンタクトの接触端部（接触部(132))とを上述のような態様をもって配置することにより、複数のシグナルコンタクトが夫々有する複数の接触端部及び複数のグラウンドコンタクトが夫々有する複数の接触端部を蜜に配置したもとで、相互近接したシグナルコンタクトの接触端部間のクロストーク等を抑制して信号伝送特性を良好に維持することができることになる旨が記載されている。
【先行技術文献】
【特許文献】
【００１０】
【特許文献１】特開２０１４−１６０６１９号公報
【発明の概要】
【発明が解決しようとする課題】
【００１１】
上述の文献記載のコネクタ装置にあっては、各々が、隣り合う二つのシグナルコンタクトの接触端部が一対のグラウンドコンタクトの接触端部によって挟まれた配置が繰り返されて成るものとされた、上側の列（第１の列）と下側の列（第２の列）とが、夫々が回路基板の部品搭載面に平行とされていて、下側の列が回路基板の部品搭載面と上側の列との間に位置するものとされたもとにおいて、上側の列及び下側の列に含まれる接触端部を有した複数のグラウンドコンタクトの夫々が、その接続端部が共通の回路基板の部品搭載面に設けられたグラウンド端子に接続されたものとされている。それにより、上側の列に含まれる接触端部を有したグラウンドコンタクト（以下、上側グラウンドコンタクトという。）の接触端部から接続端部までの長さ（以下、第１の長さという。）は、下側の列に含まれる接触端部を有したグラウンドコンタクト（以下、下側グラウンドコンタクトという。）の接触端部から接続端部までの長さ（以下、第２の長さという。）より大となっている。
【００１２】
そして、文献記載のコネクタ装置に相手方コネクタ装置が嵌合せしめられて、上側グラウンドコンタクト及び下側グラウンドコンタクトの夫々の接触端部が相手方コネクタ装置のグラウンドコンタクトの端部に接触接続されたもとにあっては、上側グラウンドコンタクトの接触端部及び接続端部のいずれもが接地電位が与えられた状態におかれるとともに、下側グラウンドコンタクトの接触端部及び接続端部のいずれもが接地電位が与えられた状態におかれる。斯かる状態のもとにおいては、上側グラウンドコンタクトは、第１の長さが 1/2波長に相当する特定の周波数を共振周波数とするものとされ、また、下側グラウンドコンタクトも、第２の長さが 1/2波長に相当する特定の周波数を共振周波数とするものとされる。そして、上側グラウンドコンタクト及び下側グラウンドコンタクトの夫々が、その共振周波数を有したシグナルに対しては、共振アンテナとして作用して当該共振周波数を有したシグナルを放射する。
【００１３】
このような上側グラウンドコンタクトあるいは下側グラウンドコンタクトが共振アンテナとして作用して共振周波数を有したシグナルを放射する状態は、基板側コネクタ装置において不所望なクロストークが発生することになって、シグナル伝送特性の劣化をもたらす。そのため、文献記載のコネクタ装置の有効伝送周波数帯域は、上側グラウンドコンタクト及び下側グラウンドコンタクトの夫々の共振周波数のうちの低い方に相当する周波数に達しない周波数までの周波数帯域とされることになる。
【００１４】
斯かるもとで、文献記載のコネクタ装置においては、上側グラウンドコンタクトの第１の長さが下側グラウンドコンタクトの第２の長さより大となっているので、上側グラウンドコンタクトの共振周波数が下側グラウンドコンタクトの共振周波数より低くなる。その結果、文献記載のコネクタ装置は、その有効伝送周波数帯域が、上側グラウンドコンタクトの共振周波数より低い周波数範囲までの周波数帯域に制限され、それを越えて下側グラウンドコンタクトの共振周波数に達しない周波数範囲にまで広げられた周波数帯域とすることはできないものとされるという不都合を伴っている。
【００１５】
斯かる点に鑑み、本願の特許請求の範囲に記載された発明は、回路基板の部品搭載面に配される絶縁ハウジングによって支持された複数のシグナルコンタクト及び複数のグラウンドコンタクトを備え、複数のシグナルコンタクトの夫々が回路基板の部品搭載面に設けられたシグナル端子部に接続される接続端部と相手方コネクタ装置におけるシグナルコンタクトの端部に接触接続される接触端部とを有するとともに、複数のグラウンドコンタクトの夫々が回路基板の部品搭載面に設けられたグラウンド端子部に接続される接続端部と相手方コネクタ装置におけるグラウンドコンタクトの端部に接触接続される接触端部とを有していて、複数のシグナルコンタクト及び複数のグラウンドコンタクトが夫々有する接触端部が、回路基板面方向に配列配置されて形成する並行列である第１の接触端部列と第２の接触端部列とを成すものとされたもとにおいて、有効伝送周波数帯域の拡大を図ることができるコネクタ装置を提供する。
【課題を解決するための手段】
【００１６】
本願の特許請求の範囲における請求項１から請求項８までのいずれかに記載された発明（以下、本願発明という。）に係るコネクタ装置は、回路基板の部品搭載面に配される絶縁ハウジングと、各々が相手方コネクタ装置のシグナルコンタクトの端部に接触接続される接触端部及び回路基板の部品搭載面に設けられたシグナル端子部に接続される接続端部を有した複数の第１のシグナルコンタクトと各々が相手方コネクタ装置のグラウンドコンタクトの端部に接触接続される接触端部及び回路基板の部品搭載面に設けられたグラタウンド端子部に接続される接続端部を有した複数の第１のグラウンドコンタクトとが、回路基板の部品搭載面に沿うことになる方向に配列されて絶縁ハウジングにより支持されて成る第１のコンタクト列と、各々が相手方コネクタ装置のシグナルコンタクトの端部に接触接続される接触端部及び回路基板の部品搭載面に設けられたシグナル端子部に接続される接続端部を有した複数の第２のシグナルコンタクトと各々が相手方コネクタ装置のグラウンドコンタクトの端部に接触接続される接触端部及び回路基板の部品搭載面に設けられたグラタウンド端子部に接続される接続端部を有した複数の第２のグラウンドコンタクトとが、回路基板の部品搭載面に沿うことになる方向に配列されて絶縁ハウジングにより支持されて成る第２のコンタクト列と、絶縁ハウジングの外面部に装着されて接地電位が与えられる導電性シェルと、を備えて構成される。そして、斯かるもとで、第１のコンタクト列に含まれる複数の第１のシグナルコンタクト及び複数の第１のグラウンドコンタクトの夫々の接触端部が成す第１の接触端部列と第２のコンタクト列に含まれる複数の第２のシグナルコンタクト及び複数の第２のグラウンドコンタクトの夫々の接触端部が成す第２の接触端部列とが、第２の接触端部列が回路基板の部品搭載面と第１の接触端部列との間に位置する並行列として配されて、第１のコンタクト列に含まれる複数の第１のグラウンドコンタクトの夫々における接触端部から接続端部までの長さが第２のコンタクト列に含まれる複数の第２のグラウンドコンタクトの夫々における接触端部から接続端部までの長さよりその二倍を越えない範囲で大に選定されたもとで、複数の第１のグラウンドコンタクトの夫々における接触端部と接続端部との間の中間部が導電性シェルに接続されたものとされる。
【００１７】
特に、本願発明に係るコネクタ装置のうちの請求項２に記載されたものにあっては、第１のコンタクト列に含まれる複数の第１のグラウンドコンタクトの夫々における接触端部から接続端部までの長さが、第２のコンタクト列に含まれる複数の第２のグラウンドコンタクトの夫々における接触端部から接続端部までの長さよりその二倍を越えない範囲で大となるように選定されたもとで、複数の第１のグラウンドコンタクトの夫々における接触端部から中間部までの長さと中間部から接続端部までの長さのいずれもが、複数の第２のグラウンドコンタクトの夫々における接触端部から接続端部までの長さ以下とされる。
【００１８】
さらに、本願発明に係るコネクタ装置のうちの請求項３に記載されたものにあっては、第１のコンタクト列に含まれる複数の第１のグラウンドコンタクトの夫々が、それにおける接触端部から中間部までの長さと中間部から接続端部までの長さとが実質的に等しいものとされる。
【００１９】
上述のように構成される本願発明に係るコネクタ装置は、回路基板に取り付けられて用いられる基板側コネクタ装置を成すものとされる。そして、このような本願発明に係るコネクタ装置においては、第１のコンタクト列に含まれる複数の第１のシグナルコンタクト及び複数の第１のグラウンドコンタクトの夫々の接触端部が成す第１の接触端部列と第２のコンタクト列に含まれる複数の第２のシグナルコンタクト及び複数の第２のグラウンドコンタクトの夫々の接触端部が成す第２の接触端部列とが、第２の接触端部列が回路基板の部品搭載面と第１の接触端部列との間に位置する並行列として配されて、第１のコンタクト列に含まれる複数の第１のグラウンドコンタクトの夫々における接触端部から接続端部までの長さが第２のコンタクト列に含まれる複数の第２のグラウンドコンタクトの夫々における接触端部から接続端部までの長さよりその二倍を越えない範囲で大に選定されたもとで、複数の第１のグラウンドコンタクトの夫々における接触端部と接続端部との間の中間部が導電性シェルに接続されたものとされる。
【００２０】
それにより、複数の第１のシグナルコンタクト及び複数の第２のシグナルコンタクトの夫々が、その接触端部が相手方コネクタ装置のシグナルコンタクトの端部に接触接続されるとともにその接続端部が回路基板の部品搭載面に設けられたシグナル端子部に接続され、また、複数の第１のグラウンドコンタクト及び複数の第２のグラウンドコンタクトの夫々が、その接触端部が相手方コネクタ装置のグラウンドコンタクトの端部に接触接続されるとともにその接続端部が回路基板の部品搭載面に設けられたグラウンド端子部に接続されたもとにあっては、複数の第１のグラウンドコンタクトの夫々が、それにおける接触端部と接続端部と導電性シェルに接続された中間部との各々が接地電位が与えられたものとされる。それにより、複数の第１のグラウンドコンタクトの夫々は、接触端部から中間部までの長さが 1/2波長に相当する第１の共振周波数と中間部から接続端部までの長さが 1/2波長に相当する第２の共振周波数とを有するものとされる。
【００２１】
複数の第１のグラウンドコンタクトの夫々における接触端部から中間部までの長さ及び中間部から接続端部までの長さの夫々は、第２のグラウンドコンタクトにおける接触端部から接続端部までの長さ以下であるので、第１の共振周波数及び第２の共振周波数のいずれもは、仮に中間部が導電性シェルに接続されないものとしたときの、第１のグラウンドコンタクトにおける接触端部から接続端部までの長さが 1/2波長に相当する共振周波数より高いものとなる。そして、第１のグラウンドコンタクトにおける中間部の位置設定によって、第１の共振周波数及び第２の共振周波数のいずれをも、接触端部から接続端部までの長さが第１のグラウンドコンタクトより小に選定された第２のグラウンドコンタクトが有する当該接触端部から接続端部までの長さが 1/2波長に相当する共振周波数以上のものとすることが可能とされる。
【００２２】
斯かる際における第１のグラウンドコンタクトにおける中間部の位置設定は、例えば、本願発明に係るコネクタ装置のうちの請求項２に記載されたもののように、第１のコンタクト列に含まれる複数の第１のグラウンドコンタクトの夫々における接触端部から接続端部までの長さが、第２のコンタクト列に含まれる複数の第２のグラウンドコンタクトの夫々における接触端部から接続端部までの長さよりその二倍を越えない範囲で大となるように選定されたもとで、複数の第１のグラウンドコンタクトの夫々が、接触端部から中間部までの長さと中間部から接続端部までの長さとが実質的に等しいものとされることにより、複数の第１のグラウンドコンタクトの夫々における接触端部から中間部までの長さと中間部から接続端部までの長さのいずれもが、複数の第２のグラウンドコンタクトの夫々における接触端部から接続端部までの長さ以下とされて行われる。
【発明の効果】
【００２３】
上述の本願発明に係るコネクタ装置にあっては、第１のコンタクト列に含まれる複数の第１のグラウンドコンタクトの夫々における接触端部から接続端部までの長さが第２のコンタクト列に含まれる複数の第２のグラウンドコンタクトの夫々における接触端部から接続端部までの長さよりその二倍を越えない範囲で大に選定されたもとで、複数の第１のグラウンドコンタクトの夫々が有する第１の共振周波数及び第２の共振周波数のいずれをも複数の第２のグラウンドコンタクトの夫々の共振周波数以上のものとすることが可能とされるので、共振周波数による制限を受ける有効伝送周波数帯域を、第１のグラウンドコンタクトの共振周波数により制限されることなく、接触端部から接続端部までの長さが第１のグラウンドコンタクトより小に選定された第２のグラウンドコンタクトの共振周波数に達しない周波数範囲にまで広げられた周波数帯域に拡大することができることになる。
【図面の簡単な説明】
【００２４】
【図１】本願発明に係るコネクタ装置の一例をそれが取り付けられた回路基板及びそれに嵌合連結される相手方コネクタ装置の一例と共に示す斜視図である。
【図２】図１に示される本願発明に係るコネクタ装置の一例をそれから一部の部材が分離された状態をもって示す斜視図である。
【図３】図１に示される本願発明に係るコネクタ装置の一例をそれから一部の部材が除去された状態をもって示す斜視図である。
【図４】図１に示される本願発明に係るコネクタ装置の一例をそれが取り付けられた回路基板と共に示す正面図である。
【図５】図４における一点鎖線枠Ｅ内を拡大して示す拡大図である。
【図６】図１に示される相手方コネクタ装置の一例を単独で示す斜視図である。
【図７】図１に示される相手方コネクタ装置の一例をそれから一部の部材が除去あるいは分離された状態をもって示す斜視図である。
【図８】図１に示される相手方コネクタ装置の一例に内蔵された構造体をそれに接続された複数の同軸ケーブルと共に示す斜視図である。
【図９】図１に示される相手方コネクタ装置の一例に内蔵された構造体をそれに接続された複数の同軸ケーブルと共に示す平面図である。
【図１０】図９に示される構造体の一部を複数の同軸ケーブルと共に示す斜視図である。
【図１１】図９に示される構造体の一部を複数の同軸ケーブルと共に示す平面図である。
【図１２】回路基板に取り付けられた本願発明に係るコネクタ装置の一例に相手方コネクタ装置の一例が嵌合連結された状態を示す斜視図である。
【図１３】回路基板に取り付けられた本願発明に係るコネクタ装置の一例に相手方コネクタ装置の一例が嵌合連結された状態を示す平面図である。
【図１４】回路基板に取り付けられた本願発明に係るコネクタ装置の一例に相手方コネクタ装置の一例が嵌合連結された状態を示す側面図である。
【図１５】図１３におけるXV−XV線断面を部分的に示す断面図である。
【図１６】図１３における XVI−XVI 線断面を部分的に示す断面図である。
【発明を実施するための形態】
【００２５】
本願発明を実施するための形態は、以下に述べられる本願発明についての実施例をもって説明される。
【実施例】
【００２６】
図１は、本願発明に係るコネクタ装置の一例を、それが取り付けられた回路基板、及び、それに嵌合連結される相手方コネクタ装置と共に示し、図２及び図３は、本願発明に係るコネクタ装置の一例を、それから一部の部材が分離あるいは除去された状態をもって示す。
【００２７】
図１において、本願発明に係るコネクタ装置の一例を成すコネクタ装置１１は、回路基板１２にそれにおける電気回路構成部との電気的接続がなされて取り付けられて基板側コネクタ装置として使用されるリセプタクルコネクタを成しており、回路基板１２に取り付けられた状態のもとで、複数の同軸ケーブルが接続されたプラグコネクタを成す相手方コネクタ装置１３が嵌合連結されるものとされている。そして、コネクタ装置１１は、回路基板１２の部品搭載面１２ａに配されるものとされた絶縁ハウジング１４を備えており、絶縁ハウジング１４は、合成樹脂等の絶縁材料によって形成されていて、相手方コネクタ装置１３の嵌合部１５が差し込まれる嵌合口部１６（後述される図４に示される。）が設けられたものとされている。
【００２８】
図１〜図３に示されるように、絶縁ハウジング１４の外面部には、例えば、金属板材によって形成された導電性シェル１７が装着されている。導電性シェル１７は、絶縁ハウジング１４の外面部を覆う第１のシェル部材１７Ａと第１のシェル部材１７Ａとは別体に形成されて第１のシェル部材１７Ａとの電気的接続がなされる第２のシェル部材１７Ｂとを含んで構成されている（図２においては、第２のシェル部材１７Ｂが第１のシェル部材１７Ａから分離せしめられて示されている。）。第１のシェル部材１７Ａには、回路基板１２における接地電位部１８に設けられた透孔に差し込まれる係合突起部１９（図２及び図３に明瞭に示されている。）が設けられており、また、第２のシェル部材１７Ｂには、回路基板１２における接地電位部１８に設けられた透孔に差し込まれる係合突起部２０（図２に明瞭に示されている。）と第１のシェル部材１７Ａに接触接続される接触突起部２１（図２に明瞭に示されている。）とが設けられている。
【００２９】
そして、第１のシェル部材１７Ａに設けられた係合突起部１９及び第２のシェル部材１７Ｂに設けられた係合突起部２０の夫々が、回路基板１２における接地電位部１８に設けられた透孔に差し込まれるとともに、第２のシェル部材１７Ｂに設けられた接触突起部２１が第１のシェル部材１７Ａに接触接続せしめられることにより、導電性シェル１７が、第２のシェル部材１７Ｂが第１のシェル部材１７Ａに電気的に接続されたもとで、回路基板１２に固定されるとともに、接地電位部１８からの接地電位が与えらるものとされる。
【００３０】
図２に示されるように、導電性シェル１７を構成する第１のシェル部材１７Ａによって外面部が覆われた絶縁ハウジング１４にあっては、絶縁ハウジング１４により支持された複数の第１のシグナルコンタクト２５と複数の第１のグラウンドコンタクト２６とが，絶縁ハウジング１４が回路基板１２の部品搭載面１２ａに配されたとき回路基板１２の部品搭載面１２ａに沿うことになる方向である回路基板面方向に配列されて成る第１のコンタクト列と、複数の第１のシグナルコンタクト２５及び複数の第１のグラウンドコンタクト２６の一部が除去されて表される図３に示されるように、絶縁ハウジング１４により支持された複数の第２のシグナルコンタクト２７と複数の第２のグラウンドコンタクト２８とが、回路基板面方向に配列されて成る第２のコンタクト列とが設けられている。第１のコンタクト列においては、隣り合う二つの第１のシグナルコンタクト２５が一対の第１のグラウンドコンタクト２６によって挟まれた配置が繰り返されており、また、第２のコンタクト列においては、隣り合う二つの第２のシグナルコンタクト２７が一対の第２のグラウンドコンタクト２８によって挟まれた配置が繰り返されている。
【００３１】
そして、第１のコンタクト列に含まれる複数の第１のシグナルコンタクト２５の夫々は、相手方コネクタ装置１３のシグナルコンタクト４８の端部４８ａ（後述される図８及び図９に示されている。）に接触接続される接触端部３０（後述される図４及び図５に示されている。）及び回路基板１２の部品搭載面１２ａに設けられたシグナル端子部（図示が省略されている。）に接続される接続端部３１を有しており、また、第１のコンタクト列に含まれる複数の第１のグラウンドコンタクト２６の夫々は、相手方コネクタ装置１３のグラウンドコンタクト４９の端部４９ａ（後述される図８及び図９に示されている。）に接触接続される接触端部３２（後述される図４及び図５に示されている。）及び回路基板１２の部品搭載面１２ａに設けられたグラウンド端子部（図示が省略されている。）に接続される接続端部３３を有している。
【００３２】
同様に、第２のコンタクト列に含まれる複数の第２のシグナルコンタクト２７の夫々は、相手方コネクタ装置１３のシグナルコンタクト４８の端部４８ａ（後述される図８及び図９に示されている。）に接触接続される接触端部３４（後述される図４及び図５に示されている。）及び回路基板１２の部品搭載面１２ａに設けられたシグナル端子部（図示が省略されている。）に接続される接続端部３５を有しており、また、第２のコンタクト列に含まれる複数の第２のグラウンドコンタクト２８の夫々は、相手方コネクタ装置１３のグラウンドコンタクト４９の端部４９ａ（後述される図８及び図９に示されている。）に接触接続される接触端部３６（後述される図４及び図５に示されている。）及び回路基板１２の部品搭載面１２ａに設けられたグラウンド端子部（図示が省略されている。）に接続される接続端部３７を有している。
【００３３】
斯かるもとで、複数の第１のシグナルコンタクト２５の夫々の接続端部３１，複数の第１のグウラウンドコンタクト２６の夫々の接続端部３３，複数の第２のシグナルコンタクト２７の夫々の接続端部３５及び複数の第２のグラウンドコンタクト２８の夫々の接続端部３７は、それらのいずれもが共通の回路基板１２の部品搭載面１２ａに配されている。それに対して、図４及び図４における一点鎖線枠Ｅ内を拡大して示す図５に示されるように、絶縁ハウジング１４に設けられた嵌合口部１６内において、複数の第１のシグナルコンタクト２５の夫々の接触端部３０及び複数の第１のグウラウンドコンタクト２６の夫々の接触端部３２が、隣り合う二つの接触端部３０が一対の接触端部３２によって挟まれた配置が繰り返される状態をもって回路基板面方向に配列されて成る、第１の接触端部列をなしているとともに、複数の第２のシグナルコンタクト２７の夫々の接触端部３４及び複数の第２のグウラウンドコンタクト２８の夫々の接触端部３６が、隣り合う二つの接触端部３４が一対の接触端部３６によって挟まれた配置が繰り返される状態をもって回路基板面方向に配列されて成る、第２の接触端部列を成している。
【００３４】
そして、複数の第１のシグナルコンタクト２５の夫々の接触端部３０及び複数の第１のグウラウンドコンタクト２６の夫々の接触端部３２を含んだ第１の接触端部列と複数の第２のシグナルコンタクト２７の夫々の接触端部３４及び複数の第２のグウラウンドコンタクト２８の夫々の接触端部３６を含んだ第２の接触端部列とは、夫々が回路基板１２の部品搭載面１２ａに沿う方向に伸びていて、第２の接触端部列が回路基板１２の部品搭載面１２ａと第１の接触端部列との間に位置する並行列として配されている。
【００３５】
このようなもとで、第１のコンタクト列に含まれる複数の第１のグラウンドコンタクト２６の夫々と第２のコンタクト列に含まれる複数の第２のグラウンドコンタクト２８の夫々とは、複数の第１のグラウンドコンタクト２６の夫々における接触端部３２から接続端部３３までの長さが、複数の第２のグラウンドコンタクト２８の夫々における接触端部３６から接続端部３７までの長さよりその二倍を越えない範囲で大となるように選定されている。
【００３６】
図２及び図３に示されるように、第１のコンタクト列を成す複数の第１のシグナルコンタクト２５及び複数の第１のグラウンドコンタクト２６の夫々は、接触端部３０と接続端部３１との間の部分もしくは接触端部３２と接続端部３３との間の部分を部分的に絶縁ハウジング１４からその外部に露出させて成る露出部分を有している。そして、斯かる第１のシグナルコンタクト２５及び第１のグラウンドコンタクト２６の夫々の露出部分は、後述される図１４に示されるように、図２においては絶縁ハウジング１４から分離されて示されている絶縁カバー部材３８によって覆われ、さらに、絶縁カバー部材３８を覆う第２のシェル部材１７Ｂによって覆われるものとされている。このようにして第１のシグナルコンタクト２５及び第１のグラウンドコンタクト２６の夫々の露出部分を覆う第２のシェル部材１７Ｂは、導電シェル１７における覆い部分を成している。
【００３７】
絶縁カバー部材３８は、全体として板状体を成しており、第１のシグナルコンタクト２５及び第１のグラウンドコンタクト２６の夫々の露出部分を覆ったもとで複数の第１のグラウンドコンタクト２６の露出部分に夫々対応することになる複数の部位の各々に、透孔３９が形成されたものとされている。また、第２のシェル部材１７Ｂには、絶縁カバー部材３８を覆ったもとで複数の透孔３９に夫々対応することになる複数の部位の各々に、内側、即ち、絶縁カバー部材３８に向けて突出するものとされた接点部４０が形成されている。斯かるもとで、第１のシグナルコンタクト２５及び第１のグラウンドコンタクト２６の夫々の露出部分が、絶縁カバー部材３８によって覆われ、さらに、絶縁カバー部材３８を覆う第２のシェル部材１７Ｂによって覆われるものとされるときには、第２のシェル部材１７Ｂに形成された接点部４０が、絶縁カバー部材３８に形成された透孔３９を通じて、複数の第１のグラウンドコンタクト２６の夫々の露出部分に含まれる、第１のグラウンドコンタクト２６における接触端部３２と接続端部３３との間の中間部４１（後述される図１６に示されている。）に当接する。それにより、複数の第１のグラウンドコンタクト２６の夫々における中間部４１が第２のシェル部材１７Ｂを含んで構成される導電性シェル１７に接続された状態が得られ、複数の第１のグラウンドコンタクト２６の夫々における中間部４１に導電性シェル１７を通じて接地電位が与えられる。
【００３８】
斯かる際、複数の第１のグラウンドコンタクト２６の夫々は、例えば、接触端部３２から中間部４１までの長さ（以下、第１のコンタクト長という。）と中間部４１から接続端部３３までの長さ（以下、第２のコンタクト長という。）とが実質的に等しいものとされることにより、第１のコンタクト長及び第２のコンタクト長のいずれもが、複数の第２のグラウンドコンタクト２８の夫々における接触端部３６から接続端部３７までの長さ以下となるものとされる。複数の第１のグラウンドコンタクト２６の夫々が第１のコンタクト長と第２のコンタクト長とが実質的に等しいものとされるときには、前述のように、複数の第１のグラウンドコンタクト２６の夫々における接触端部３２から接続端部３３までの長さが、複数の第２のグラウンドコンタクト２８の夫々における接触端部３６から接続端部３７までの長さよりその二倍を越えない範囲で大となるように選定されているので、複数の第１のグラウンドコンタクト２６の夫々における第１のコンタクト長及び第２のコンタクト長は、いずれもが、複数の第２のグラウンドコンタクト２８の夫々における接触端部３６から接続端部３７までの長さ以下とされることになる。
【００３９】
一方、図１に示される、プラグコネクタを成す相手方コネクタ装置１３は、図６に示されるように、合成樹脂等の絶縁材料によって形成されたインナー絶縁ハウジング４２とアウター絶縁ハウジング４４とを備えていて、インナー絶縁ハウジング４２の外面部にはアウター導電性シェル４３が装着されており、また、アウター絶縁ハウジング４４にはインナー絶縁ハウジング４２との係合状態をとる係合突出部４５が設けられている。そして、インナー絶縁ハウジング４２におけるその外面部にアウター導電性シェル４３が装着された部分とアウター絶縁ハウジング４４に設けられた係合突出部４５とによって、前述のコネクタ装置１１の絶縁ハウジング１４に設けられた嵌合口部１６に差し込まれる嵌合部１５が構成されている。
【００４０】
図７は、相手方コネクタ装置１３を、それからアウター絶縁ハウジング４４が除去され、さらに、外面部にアウター導電性シェル４３が装着されたインナー絶縁ハウジング４２が分離された状態をもって示す。図７に示されるように、相手方コネクタ装置１３には、パイプ状を成すケーブル保持部材４６によって束ねられて保持された複数の同軸ケーブル４７が接続されている。そして、相手方コネクタ装置１３にあっては、図６に示されるように、複数の同軸ケーブル４７を保持したケーブル保持部材４６が、アウター絶縁ハウジング４４によって支持されており、それによって複数の同軸ケーブル４７が固定される。また、外面部にアウター導電性シェル４３が装着されたインナー絶縁ハウジング４２内には、複数のシグナルコンタクト４８及び複数のグラウンドコンタクト４９を支持した一対のコンタクト支持部材５０が重ねられて配される。一対のコンタクト支持部材５０の夫々には、その外面部を部分的に覆うインナー導電性シェル５１が装着されている。
【００４１】
図８及び図９に示されるように、一対のコンタクト支持部材５０の夫々は、複数のシグナルコンタクト４８及び複数のグラウンドコンタクト４９を、隣り合う二つのシグナルコンタクト４８が一対のグラウンドコンタクト４９によって挟まれた配置が繰り返される態様をもって配列配置されたものとして支持している。一対のコンタクト支持部材５０のうちの一方によって支持された複数のシグナルコンタクト４８の夫々の一端部分が、コネクタ装置１１における第１のシグナルコンタクト２５の接触端部３０に接触接続される端部４８ａを成すものとされており、また、一対のコンタクト支持部材５０のうちの一方によって支持された複数のグラウンドコンタクト４９の夫々の一端部分が、コネクタ装置１１における第１のグラウンドコンタクト２６の接触端部３２に接触接続される端部４９ａを成すものとされている。同様に、一対のコンタクト支持部材５０のうちの他方によって支持された複数のシグナルコンタクト４８の夫々の一端部分が、コネクタ装置１１における第２のシグナルコンタクト２７の接触端部３４に接触接続される端部４８ａを成すものとされており、また、一対のコンタクト支持部材５０のうちの他方によって支持された複数のグラウンドコンタクト４９の夫々の一端部分が、コネクタ装置１１における第２のグラウンドコンタクト２８の接触端部３６に接触接続される端部４９ａを成すものとされている。
【００４２】
一対のコンタクト支持部材５０の夫々は、複数のシグナルコンタクト４８及び複数のグラウンドコンタクト４９の配列方向に沿って伸びて接地電位が与えられるグラウンドバー部材５２を備えている。図１０及び図１１に示されるように、グラウンドバー部材５２は、それに沿って配列された複数の同軸ケーブル４７の夫々の中心導体４７ａ及び内部絶縁体４７ｂが貫通するものとされており、また、複数の同軸ケーブル４７の夫々の外側導体との電気的接続がなされている。さらに、グラウンドバー部材５２には、各々がそれからグラウンドバー部材５２を貫通した同軸ケーブル４７の中心導体４７ａの先端部側に突出するものとされた複数のグラウンドピン５３が設けられていて、複数のグラウンドピン５３の夫々には接地電位が与えられる。
【００４３】
斯かるもとで、一対のコンタクト支持部材５０の夫々において、グラウンドバー部材５２を貫通した複数の同軸ケーブル４７の中心導体４７ａが、コンタクト支持部材５０によって支持された複数のシグナルコンタクト４８の他端部分に夫々接続され、また、グラウンドバー部材５２に設けられた複数のグラウンドピン５３が、コンタクト支持部材５０によって支持された複数のグラウンドコンタクト４９の他端部分に夫々接続される。それにより、相手方コネクタ装置１３における複数のシグナルコンタクト４８の夫々が、同軸ケーブル４７の中心導体４７ａに接続されたものとされるとともに、相手方コネクタ装置１３における複数のグラウンドコンタクト４９の夫々が、接地電位が与えられるグラウンドバー部材５２に設けられたグラウンドピン５３に接続された状態が得られる。
【００４４】
図１２（斜視図），図１３（平面図) 及び図１４（側面図）は、回路基板１２にそれに設けられた電気回路構成部との電気的接続がなされて取り付けられたコネクタ装置１１に、ケーブル保持部材４６によって保持された複数の同軸ケーブル４７が接続された相手方コネクタ装置１３が嵌合連結された状態を示す。
【００４５】
コネクタ装置１１に対する相手方コネクタ装置１３の嵌合連結は、相手方コネクタ装置１３のインナー絶縁ハウジング４２におけるその外面部にアウター導電性シェル４３が装着された部分とアウター絶縁ハウジング４４に設けられた係合突出部４５とによって構成された嵌合部１５が、コネクタ装置１１の絶縁ハウジング１４に設けられた嵌合口部１６に差し込まれて行われる。このとき、図示が省略されているが、コネクタ装置１１の絶縁ハウジング１４に設けられた係止部が相手方コネクタ装置１３のアウター絶縁ハウジング４４に設けられた被係止部に係合することにより、コネクタ装置１１に相手方コネクタ装置１３が嵌合連結された状態が維持される。
【００４６】
コネクタ装置１１に相手方コネクタ装置１３が嵌合連結された状態がとられたときには、図１３におけるXV−XV線断面を部分的に示す図１５に示されるように、コネクタ装置１１の絶縁ハウジング１４に設けられた嵌合口部１６に相手方コネクタ装置１３における嵌合部１５が差し込まれたもとで、コネクタ装置１１における第１のコンタクト列に含まれる複数の第１のシグナルコンタクト２５の夫々の接触端部３０に、相手方コネクタ装置１３における各々がその他端部分に同軸ケーブル４７の中心導体４７ａが接続されたものとされた複数のシグナルコンタクト４８のうちの対応するものの端部４８ａが、接触接続される。それにより、同軸ケーブル４７の中心導体４７ａが、第１のシグナルコンタクト２５を通じて当該第１のシグナルコンタクト２５の接続端部３１が接続された回路基板１２の部品搭載面１２ａに設けられたシグナル端子部に接続される。
【００４７】
それとともに、図示が省略されているが、コネクタ装置１１における第２のコンタクト列に含まれる複数の第２のシグナルコンタクト２７の夫々の接触端部３４にも、相手方コネクタ装置１３における各々がその他端部分に同軸ケーブル４７の中心導体４７ａが接続されたものとされた複数のシグナルコンタクト４８のうちの対応するものの端部４８ａが、接触接続される。それにより、同軸ケーブル４７の中心導体４７ａが、第２のシグナルコンタクト２７を通じて当該第２のシグナルコンタクト２７の接続端部３５が接続された回路基板１２の部品搭載面１２ａに設けられたシグナル端子部に接続される。
【００４８】
また、図１３における XVI−XVI 線断面を部分的に示す図１６に示されるように、コネクタ装置１１の絶縁ハウジング１４に設けられた嵌合口部１６に相手方コネクタ装置１３における嵌合部１５が差し込まれたもとで、コネクタ装置１１における第１のコンタクト列に含まれる複数の第１のグラウンドコンタクト２６の夫々の接触端部３２に、相手方コネクタ装置１３における各々がその他端部分にグラウンドバー部材５２に設けられたグラウンドピン５３が接続されたものとされた複数のグラウンドコンタクト４９のうちの対応するものの端部４９ａが、接触接続される。複数の第１のグラウンドコンタクト２６の夫々は、それにおける中間部４１に導電性シェル１７を構成する第２のシェル部材１７Ｂに形成された接点部４０が当接するものとされているので、第１のグラウンドコンタクト２６の夫々の接触端部３２に相手方コネクタ装置１３における複数のグラウンドコンタクト４９のうちの対応するものの端部４９ａが接触接続されることにより、それにおける、回路基板１２の部品搭載面１２ａに設けられたグラウンド端子部に接続された接続端部３３と接触端部３２と中間部４１との各々が接地電位が与えられたものとされる。
【００４９】
それとともに、図示が省略されているが、コネクタ装置１１における第２のコンタクト列に含まれる複数の第２のグラウンドコンタクト２８の夫々の接触端部３６に、相手方コネクタ装置１３における各々がその他端部分にグラウンドバー部材５２に設けられたグラウンドピン５３が接続されたものとされた複数のグラウンドコンタクト４９のうちの対応するものの端部４９ａが、接触接続される。それにより、複数の第２のグラウンドコンタクト２８の夫々は、それにおける回路基板１２の部品搭載面１２ａに設けられたグラウンド端子部に接続された接続端部３７と接触端部３６との各々が接地電位が与えられたものとされる。
【００５０】
このようなもとで、コネクタ装置１１における第１のコンタクト列に含まれる複数の第１のグラウンドコンタクト２６の夫々が、接触端部３２から中間部４１までの長さである第１のコンタクト長が 1/2波長に相当する第１の共振周波数と中間部４１から接続端部３３までの長さである第２のコンタクト長が 1/2波長に相当する第２の共振周波数とを有し、また、コネクタ装置１１における第２のコンタクト列に含まれる複数の第２のグラウンドコンタクト２８の夫々が、接触端部３６から接続端部３７までの長さが 1/2波長に相当する共振周波数を有することになる。そして、前述のように、複数の第１のグラウンドコンタクト２６の夫々が、第１のコンタクト長と第２のコンタクト長のいずれもが、複数の第２のグラウンドコンタクト２８の夫々における接触端部３６から接続端部３７までの長さ以下となるものとされているので、複数の第１のグラウンドコンタクト２６の夫々が有する第１の共振周波数及び第２の共振周波数の夫々が、複数の第２のグラウンドコンタクト２８の夫々が有する共振周波数以上とされることになる。それにより、コネクタ装置１１は、複数の第２のグラウンドコンタクト２８の夫々が有する共振周波数以下の周波数範囲を有効伝送周波数帯域とすることができるものとされる。
【００５１】
上述のようなコネクタ装置１１にあっては、第１のコンタクト列に含まれる複数の第１のグラウンドコンタクト２６の夫々における接触端部３２から接続端部３３までの長さが第２のコンタクト列に含まれる複数の第２のグラウンドコンタクト２８の夫々における接触端部３６から接続端部３７までの長さよりその二倍を越えない範囲で大に選定されたもとで、複数の第１のグラウンドコンタクト２６の夫々における接触端部３２と接続端部３３との間の中間部４１が導電性シェル１７に接続されたものとされることにより、複数の第１のグラウンドコンタクト２６の夫々が有する第１の共振周波数及び第２の共振周波数のいずれをも複数の第２のグラウンドコンタクト２８の夫々の共振周波数以上のものとすることが可能とされるので、共振周波数による制限を受ける有効伝送周波数帯域を、第１のグラウンドコンタクト２６の共振周波数により制限されることなく、接触端部３６から接続端部３７までの長さが第１のグラウンドコンタクト２６の接触端部３２から接続端部３３までの長さより小に選定された第２のグラウンドコンタクト２８の共振周波数には達しない周波数範囲にまで広げられた周波数帯域に拡大することができることになる。
【産業上の利用可能性】
【００５２】
以上のような本願発明に係るコネクタ装置は、回路基板の部品搭載面に配される絶縁ハウジングによって支持された複数のシグナルコンタクト及び複数のグラウンドコンタクトを備え、複数のシグナルコンタクトの夫々が回路基板の部品搭載面に設けられたシグナル端子部に接続される接続端部と相手方コネクタ装置におけるシグナルコンタクトの端部に接触接続される接触端部とを有するとともに、複数のグラウンドコンタクトの夫々が回路基板の部品搭載面に設けられたグラウンド端子部に接続される接続端部と相手方コネクタ装置におけるグラウンドコンタクトの端部に接触接続される接触端部とを有していて、複数のシグナルコンタクト及び複数のグラウンドコンタクトが夫々有する接触端部が、回路基板面方向に配列配置されて形成する並行列である第１の接触端部列と第２の接触端部列とを成すものとされたもとにおいて、有効伝送周波数帯域の拡大を図ることができるものとして、様々な電子機器等に広く適用され得るものである。
【符号の説明】
【００５３】
１１・・・コネクタ装置，  １２・・・回路基板，  １３・・・相手方コネクタ装置，  １４・・・絶縁ハウジング，  １５・・・嵌合部，  １６・・・嵌合口部，  １７・・・導電性シェル，  １７Ａ・・・第１のシェル部材，  １７Ｂ・・・第２のシェル部材，  １８・・・接地電位部，  １９，２０・・・係合突起部，  ２１・・・接触突起部，  ２５・・・第１のシグナルコンタクト，  ２６・・・第１のグラウンドコンタクト，  ２７・・・第２のシグナルコンタクト，  ２８・・・第２のグラウンドコンタクト，  ３０，３２，３４，３６・・・接触端部，  ３１，３３，３５，３７・・・接続端部，  ３８・・・絶縁カバー部材    ３９・・・透孔，  ４０・・・接点部，  ４１・・・中間部，  ４２・・・インナー絶縁ハウジング，  ４３・・・アウター導電性シェル，  ４４・・・アウター絶縁ハウジング，  ４５・・・係合突出部，  ４６・・・ケーブル保持部材，  ４７・・・同軸ケーブル，  ４７ａ・・・中心導体，  ４８・・・シグナルコンタクト，  ４８ａ・・・（シグナルコンタクト４８の）端部，  ４９・・・グラウンドコンタクト，  ４９ａ・・・（グラウンドコンタクト４９の）端部，  ５０・・・コンタクト支持部材，  ５１・・・インナー導電性シェル，  ５２・・・グラウンドバー部材，  ５３・・・グラウンドピン
【図１】
2019149238.tif 000003
【図２】
2019149238.tif 000004
【図３】
2019149238.tif 000005
【図４】
2019149238.tif 000006
【図５】
2019149238.tif 000007
【図６】
2019149238.tif 000008
【図７】
2019149238.tif 000009
【図８】
2019149238.tif 000010
【図９】
2019149238.tif 000011
【図１０】
2019149238.tif 000012
【図１１】
2019149238.tif 000013
【図１２】
2019149238.tif 000014
【図１３】
2019149238.tif 000015
【図１４】
2019149238.tif 000016
【図１５】
2019149238.tif 000017
【図１６】
2019149238.tif 000018